(57)【要約】      （修正有）【課題】紙葉類を引き切るさい、カッターを押し込んで作業することから、台座にきずが付かないように工夫されたカッターナイフを提供する。【解決手段】フインガーカッターを成形する手段に於いて、薄板状の反発力のある部材を折り曲げ一端に紙葉類を切断する刃を取り付け他端を台座とすることで、手に持って紙葉類を挟んで作業することが出来ることから、刃の切っ先で台座に傷などをつけることはなく、また、挟持の圧迫を解くと折り曲げた部分の反発力で刃と台座がもとの位置に復帰するように考案したものである。【選択図】図２
0003191451.tif 000002
【実用新案登録請求の範囲】
【請求項１】
フインガーカッター（図1）を成形する手段に於いて薄く反発力の持続可能となる、板状をＵ字型に折り曲げ<BR>
一端に刃（図２）を取り付け、他端を台座と(図２）する。当該両端を、指で挟持し圧迫しながら当フウインガーカッターを移動することで<BR>
台座の縁よりはみ出た刃の切っ先で挟んだ紙葉類を引き切ることを可能とし、途中からの切断も可能で<BR>
切断後は反発力で刃と台座がもとの位置に戻ることを特徴とするフインガーカッター<BR>
【考案の詳細な説明】
【技術分野】
【０００１】
本考案は、紙葉類を引き切るさい、カッターを押し込んで作業することから台座にきずが付きます。傷が付かないように工夫されたカッターナイフに関するものである。<BR>
【背景技術】
【０００２】
薄く反発力の持続可能な板状の部材を折り曲げ一端に刃を取り付け（図２）他端を台座（図２）、両端(図２a〜b)を挟持し圧迫しながら
<BR>フインガーカッターを移動することで台座の縁よりはみ出た刃先（図２）で挟んだ紙葉類を引き切る、また途中からの切断も可能、
切断後は反発力で台座と刃が元の位置に戻るカッターはない。<BR>
【先行技術文献】
【特許文献】
【０００３】
【特許文献１】実開  昭５７−１２８９６８号公報
【特許文献２】特開  ２００８−２２９０７６号公報
【考案の概要】
【考案が解決しようとする課題】
【０００４】
本考案が解決しようとする課題は従来のカッターナイフでは紙葉類を引き切るとき台座に傷をつけて思わぬ失敗をすることがあった<BR>
ことから、失敗を防ぐため、薄板状を折り曲げ一端に刃を取り付け、他端を台座とした反発力のあるフインガーカッターを使用する事で<BR>
引き切るさいに台座に傷をつけることはない。<BR>
【課題を解決するための手段】
【０００５】
反発力の持続可能な薄板状を折り曲げ、一端に刃を取り付け他端に台座を形成し、手に持って（図２）a〜bを指で挟持し圧迫しながら<BR>
フインガーカッターを移動することで紙葉類を引き切ることが出来る。切断後は反発力で刃と台座がもとの位置に復帰する。<BR>
【考案の効果】
【０００６】
本考案の切断具の両端(図２）のa〜bを指で挟持し圧迫しながらフインガーカッターを移動することで挟んだ紙刃類を切断（図４）することが<BR>
出来る。また途中からも切断することができ、切断する位置はＵ字型の先端からの奥行きで調整も出来る。<BR>
【図面の簡単な説明】
【０００７】
【図１】図１フインガーカッターの正面図を示したものである
【図２】図２フインガーカッターの斜視図を示したものである
【図３】図３フインガーカッターの背面図を示したものである
【図４】図４フインガーカッターの実施例を示したものである
【考案を実施するための形態】
【０００８】
折り曲げて持続可能な反発力がある薄板状の部材をＵ字型に形成し、その一端に紙葉類を切断する刃を取り付け、他端を台座とする。刃の切っ先は、他端の台座よりはみ出るように<BR>
位置させて（図２）の刃先を形成する<BR>
【実施例】
【０００９】
図４<BR>
【産業上の利用可能性】
【００１０】
本考案は刃先からの奥行きで切断する位置を自由に調整することができ、また途中からのカットも可能である。さらに台座に傷などをつけることはない<BR>
また安価に出来るので利用の可能性は大である。<BR>
【図１】
0003191451.tif 000003
【図２】
0003191451.tif 000004
【図３】
0003191451.tif 000005
【図４】
0003191451.tif 000006
【手続補正書】
【提出日】平成26年3月5日(2014.3.5)
【手続補正１】
【補正対象書類名】実用新案登録請求の範囲
【補正対象項目名】全文
【補正方法】変更
【補正の内容】
【実用新案登録請求の範囲】
【請求項１】
フインガーカッターを成形する手段に於いて反発力の持続可能な薄い
金属板等をＵ字型に折り曲げその一方の先端方向に切っ先を形成した鋭利な刃物を挟持することが可能な折曲げを形成し
前記鋭利な刃物を挟持し当該Ｕ字型の他方に紙葉類を置く台座を形成し該台座に紙葉類を容易に切断可能ならしむる鋭利な
刃物の切っ先受ける台座の位置の後部に後部方向に対する直角線上より切っ先の前方向縁部までの部分を鋭利な刃物の切っ先を
避けて折り下げることによって
該Ｕ字型に形成した薄い金属板等の台座との間に紙葉類を置き切断しようとするときＵ字型の両部を指で挟持し圧迫しながら移動
することで切っ先を避けて折り下げた台座の線上より前方にはみ出した切っ先によって紙葉類を容易に切断することを可能と
することを特徴としたフインガーカッター  
【手続補正２】
【補正対象書類名】明細書
【補正対象項目名】全文
【補正方法】変更
【補正の内容】
【考案の詳細な説明】
【技術分野】
【０００１】
本考案は紙葉類を引き切るさいカッターを押し込んで作業することから机などに傷が付きます
傷が付かないように工夫されたカッターナイフに関するものある
【背景技術】
【０００２】
封筒などを引き切る道具はあるが本考案のように刃物の切っ先を受ける台座に切っ先を避けるために折り下げて
構成された紙葉類を切断する道具はない
【０００３】
【特許文献１】実開  昭和５７−１２８９６８号
【特許文献２】特開  ２００８−２２９０７６号
【考案の概要】
【考案が解決しようとする課題】
【０００４】
本考案が解決しようとする課題は封筒等の紙葉類を切断するとき紙葉類を机の上に置きカッターナイフを押し込んで
引き切ることから机に傷などを付けることがある紙葉類を手に持ち一方の手に本考案のカッターナイフを持って指で挟持しながら
Ｕ字型の台座に置いた紙葉類を引き切ることで他のものに傷が付くことはない
【課題を解決するための手段】
【０００５】
反発力の持続可能な薄い金属坂等をＵ字型に形成し一方のＵ字型の先方向に鋭利な刃物を挟持することが可能な折り曲げを
形成して前記鋭利な刃物を挟持し当該Ｕ字型の他方に紙葉類を置く台座を形成し該台座に紙葉類を容易に切断可能ならしむる
鋭利刃物の切っ先を受ける台座の位置の後部に後部方向に対する直角線上より切っ先の前方向縁部までの部分を鋭利な
刃物の切っ先を避けて折り下げることによって該Ｕ字型に形成した薄い金属板等の台座との間に紙葉類を置き切断しようとするとき
Ｕ字型の両部を指で挟持し圧迫しながら移動することで切っ先を避けて折り下げた台座の線上より前方にはみ出た切っ先によって
紙葉類を切断する
【考案の効果】
【０００６】
本考案のＵ字型に形成した切断具は紙葉類を手に持ち一方の手に切断具を持ちＵ字型に形成した両端を指で挟持し一方の
手に持った紙葉類をＵ字型に形成した台座に置いて切断具を圧迫しながら引き切ることで机等に傷をつけることはない
Ｕ字型の奥行きで切断する紙葉類の位置を自由に選択することが出来るまた切断後は元の状態に復帰する
【考案を実施するための形態】
【０００７】
Ｕ字型に形成した切断具を手に持ちＵ字型の両端を指で挟持し一方の手に切断する紙葉類を持ってＵ字型の
空間に差し入れて切断する位置を決めて台座に置く挟持した切断具を指で圧迫しながら紙葉類を引き切る
【実施例】
【０００８】
図４
【産業上の利用可能性】
【０００９】
本考案のカッターは封筒等の紙葉類を切断するとき切断する位置を自由に選択することが出来刃物の切っ先が台座に
触れることなく紙葉類を容易にしっかりと切断することが可能なカッターであるまた反発力の持続可能な金属板等を折り曲げ
鋭利な刃物を挟持するためにＵ字型の一方の先端を折り曲げるだけの安価に出来る切断具であることから利用可能性は大きい
【手続補正書】
【提出日】平成26年5月16日(2014.5.16)
【手続補正１】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【考案の詳細な説明】
【技術分野】
【０００１】
本考案は紙葉類を引き切るさいカッターを押し込んで作業することから机などに傷が付きます
傷が付かないように工夫されたカッターナイフに関するものある
【背景技術】
【０００２】
封筒などを引き切る道具はあるが本考案のように刃物の切っ先を受ける台座に切っ先を避けるために折り下げて
構成された紙葉類を切断する道具はない
【０００３】
【特許文献１】実開  昭和５７−１２８９６８号
【特許文献２】特開  ２００８−２２９０７６号
【考案の概要】
【考案が解決しようとする課題】
【０００４】
本考案が解決しようとする課題は封筒等の紙葉類を切断するとき紙葉類を机の上に置きカッターナイフを押し込んで
引き切ることから机に傷などを付けることがある紙葉類を手に持ち一方の手に本考案のカッターナイフを持って指で挟持しながら
Ｕ字型の台座に置いた紙葉類を引き切ることで他のものに傷が付くことはない
【課題を解決するための手段】
【０００５】
反発力の持続可能な薄い金属坂等をＵ字型に形成し一方のＵ字型の先方向に鋭利な刃物を挟持することが可能な折り曲げを
形成して前記鋭利な刃物を挟持し当該Ｕ字型の他方に紙葉類を置く台座を形成し該台座に紙葉類を容易に切断可能ならしむる
鋭利刃物の切っ先を受ける台座の位置の後部に後部方向に対する直角線上より切っ先の前方向縁部までの部分を鋭利な
刃物の切っ先を避けて折り下げることによって該Ｕ字型に形成した薄い金属板等の台座との間に紙葉類を置き切断しようとするとき
Ｕ字型の両部を指で挟持し圧迫しながら移動することで切っ先を避けて折り下げた台座の線上より前方にはみ出た切っ先によって
紙葉類を切断する
【考案の効果】
【０００６】
本考案のＵ字型に形成した切断具は紙葉類を手に持ち一方の手に切断具を持ちＵ字型に形成した両端を指で挟持し一方の
手に持った紙葉類をＵ字型に形成した台座に置いて切断具を圧迫しながら引き切ることで机等に傷をつけることはない
Ｕ字型の奥行きで切断する紙葉類の位置を自由に選択することが出来るまた切断後は元の状態に復帰する
【図面の簡単な説明】
【０００７】
【図１】図１フインガーカッターの正面図を示したものである
【図２】図２フインガーカッターの斜視図を示したものである
【図３】図３フインガーカッターの背面図を示したものである
【図４】図４フインガーカッターの実施例を示したものである
【考案を実施するための形態】
【０００８】
Ｕ字型に形成した切断具を手に持ちＵ字型の両端を指で挟持し一方の手に切断する紙葉類を持ってＵ字型の
空間に差し入れて切断する位置を決めて台座に置く挟持した切断具を指で圧迫しながら紙葉類を引き切る
【実施例】
【０００９】
図４
【産業上の利用可能性】
【００１０】
本考案のカッターは封筒等の紙葉類を切断するとき切断する位置を自由に選択することが出来刃物の切っ先が台座に
触れることなく紙葉類を容易にしっかりと切断することが可能なカッターであるまた反発力の持続可能な金属板等を折り曲げ
鋭利な刃物を挟持するためにＵ字型の一方の先端を折り曲げるだけの安価に出来る切断具であることから利用可能性は大きい